(57)【要約】【課題】安全手摺がなくても足場の支柱に取付けることができ、しかも、幅木本体の角度姿勢を簡便に変更することができる幅木を提供する。【解決手段】枠体１０と、枠体１０に設けられた支柱１への固定具１５と、枠体１０に対して傾斜可能となるように上部が縦桟１１ｂに回動自在に支持された幅木本体２０と、枠体１０に設けられた係止ピン１４と、幅木本体２０に設けられ、係止ピン１４に係止されて幅木本体２０を直立状態で保持する直立保持用係止部２２と、係止ピン１４が挿通された長孔３３を有し、幅木本体２０の下部に回動自在に連結された連結部材３０と、長孔３３の端末に設けられ、係止ピン１４に係止されて幅木本体２０を最大傾斜状態で保持する最大傾斜保持用係止部３３ａと、長孔３３の両端末間に設けられ、係止ピン１４に係止されて幅木本体２０を途中傾斜状態で保持する途中傾斜保持用係止部３３ｂとを備える。【選択図】図４
2012092528.tif 000002
【特許請求の範囲】
【請求項１】
左右一対の縦桟及び該縦桟間に横設された横桟を有する枠体と、
該枠体の左右に設けられ、足場の支柱に固定される固定具と、
前記縦桟間に配設され、前記枠体に対して傾斜可能となるように上部が前記縦桟に回動自在に支持された幅木本体と、
前記枠体に設けられた係止ピンと、
前記幅木本体に設けられ、前記係止ピンに係止されて前記枠体に対する前記幅木本体の姿勢を直立した状態で保持する直立保持用係止部と、
前記係止ピンが挿通された長孔を有し、前記幅木本体の下部に回動自在に連結された連結部材と、
前記長孔の一方の端末に設けられ、前記係止ピンに係止されて前記枠体に対する前記幅木本体の姿勢を最大に傾斜した状態で保持する最大傾斜保持用係止部と、
前記長孔の両端末間に設けられ、前記係止ピンに係止されて前記枠体に対する前記幅木本体の姿勢を直立した状態から最大に傾斜した状態までの間の途中の状態で保持する途中傾斜保持用係止部と
を備えることを特徴とする足場用の幅木。
【請求項２】
前記幅木本体は、前記枠体に上部が回動自在且つスライド自在に支持されており、回動して前記枠体に対して傾斜するに伴ってスライドして前記枠体に対して下降するものであることを特徴とする請求項１に記載の足場用の幅木。
【請求項３】
前記連結部材には、前記係止ピンに前記途中傾斜保持用係止部が係止された状態の傾斜角度以上に傾斜する前記幅木本体に当接して、前記枠体に対して前記幅木本体が傾斜するに従って幅木本体に対して回動する連結部材のそれ以上の回動を阻止する当接部が設けられており、
前記途中傾斜保持用係止部及び前記最大傾斜保持用係止部は、夫々前記長孔の上部に凹設されて前記係止ピンを長孔の上方に嵌入させるものである
ことを特徴とする請求項２に記載の足場用の幅木。
【発明の詳細な説明】
【技術分野】
【０００１】
本発明は、足場用の幅木に関するものであり、詳しくは、足場の踏板の側縁部に沿って立設される幅木に関するものである。
【背景技術】
【０００２】
マンションやオフィスビル等の建築物、橋脚等の構造物等、各種の建造物を建造するに際しては、建造物の周囲に足場を仮設することが一般的になされている。そして、足場としては、所定間隔で多数の支柱を立て、足場の奥行き方向の骨組みを構成する横架材を２本の支柱間に架渡したり１本の支柱に片持ち状に突設して、横架材間に踏板（足場板とも称される）を架渡したものが周知である。
【０００３】
ところで、足場では、建造物の部品や作業用の工具等を踏板から誤って落下させないように、踏板の側縁部に沿って幅木を立設する場合がある。そして、従前より、種々の幅木が案出されているが、中には、特許文献１（特開２００９−２７５３４８号公報）に開示されているように、足場の支柱と踏板との間隙の寸法が異なっていても踏板の側縁部に沿って立設できるように、取付け角度を可変としたものがある。以下に、特許文献１に開示の幅木を、特許文献１の文言及び符号を用いて説明する。
【０００４】
特許文献１に開示の幅木１は、建枠１２の脚柱９に組付けられた安全手摺５に、幅木取付金具３，４によって取付けられるものである。そして、幅木１は、幅木取付金具３，４に枢着された幅木本体２を幅木取付金具３，４に対して回動させることで、足場に対する取付け角度が可変となるように構成されている。また、幅木１は、角度姿勢保持手段８を有しており、この角度姿勢保持手段８によって幅木本体２の所要の角度姿勢が保持される。
【０００５】
ここで、角度姿勢保持手段８は、幅木本体２の長手方向にスライド可能に支持されたロッド２５と、このロッド２５の両端部に設けられた係止ピン２６，２７とを有するものであり、ロッド２５をスライドさせて両端部の係止ピン２６，２７を、幅木取付金具３，４に設けられた複数の角度変更用ピン孔ａ，ｂ，ｃのいずれかに選択的に係止させることで、幅木本体２の角度姿勢を複数段階で調節可能とすると共に所要の角度姿勢で保持するものである。
【発明の概要】
【発明が解決しようとする課題】
【０００６】
上述した幅木では、足場に安全手摺を組付けた上でこの安全手摺に取付けなければならず、安全手摺を必須の要件とする。
【０００７】
また、上述した幅木では、足場に取付けるに際して幅木本体を所要の角度姿勢で保持したり、足場から取外すに際して傾斜している幅木本体を直立状態に変更する場合に、ロッドをスライドさせて係止ピンを角度変更用ピン孔から抜き差ししなければならず、その作業が煩雑である。
【０００８】
本発明は、上記実情を鑑みてなされたものであり、安全手摺がなくても足場の支柱に取付けることができ、しかも、幅木本体の角度姿勢を簡便に変更することができる幅木の提供を課題とする。
【課題を解決するための手段】
【０００９】
上記課題を解決するために本発明の採った主要な手段は、
「左右一対の縦桟及び該縦桟間に横設された横桟を有する枠体と、
該枠体の左右に設けられ、足場の支柱に固定される固定具と、
前記縦桟間に配設され、前記枠体に対して傾斜可能となるように上部が前記縦桟に回動自在に支持された幅木本体と、
前記枠体に設けられた係止ピンと、
前記幅木本体に設けられ、前記係止ピンに係止されて前記枠体に対する前記幅木本体の姿勢を直立した状態で保持する直立保持用係止部と、
前記係止ピンが挿通された長孔を有し、前記幅木本体の下部に回動自在に連結された連結部材と、
前記長孔の一方の端末に設けられ、前記係止ピンに係止されて前記枠体に対する前記幅木本体の姿勢を最大に傾斜した状態で保持する最大傾斜保持用係止部と、
前記長孔の両端末間に設けられ、前記係止ピンに係止されて前記枠体に対する前記幅木本体の姿勢を直立した状態から最大に傾斜した状態までの間の途中の状態で保持する途中傾斜保持用係止部と
を備えることを特徴とする足場用の幅木」
である。
【００１０】
上記構成の幅木では、足場の支柱に固定される固定具が枠体に設けられており、この固定具によって、安全手摺がなくても足場の支柱に取付けることができる。
【００１１】
また、幅木本体は、枠体の縦桟に対して回動することで枠体に対して直立した状態（以下「直立状態」という）から最大に傾斜した状態（以下「最大傾斜状態」という）で可変となっているのであるが、直立状態では、枠体の係止ピンに幅木本体の直立保持用係止部が係止されることで、直立状態で保持される。そして、幅木本体が傾斜した状態では、最大傾斜状態においては、枠体の係止ピンに連結部材の長孔の最大傾斜保持用係止部が係止されることで、最大傾斜状態で保持され、直立状態から最大傾斜状態までの途中の状態（以下「途中傾斜状態」という）においては、枠体の係止ピンに連結部材の長孔の途中傾斜保持用係止部が係止されることで、途中傾斜状態で保持される。よって、直立保持用係止部、最大傾斜保持用係止部や途中傾斜保持用係止部と係止ピンとの係止を外して幅木本体を回動させるといった簡便な作業によって、幅木本体の角度姿勢を変更することができる。
【００１２】
さらに、直立状態から最大傾斜状態まで、途中傾斜状態を含んだ複数段階の幅木本体の角度姿勢調節を、単一の係止ピンによるコンパクトな構造によって実現することができる。
【００１３】
なお、途中傾斜保持用係止部は、連結部材の長孔の両端末間の一箇所に設けるに限らず、複数箇所に設けて、直立状態から最大傾斜状態までの間において、幅木本体の２段階以上の途中傾斜状態を実現できるようにしてもよい。
【００１４】
上述した手段において、
「前記幅木本体は、前記縦桟に上部が回動自在且つスライド自在に支持されており、回動して前記枠体に対して傾斜するに伴ってスライドして前記枠体に対して下降するものであることを特徴とする足場用の幅木」
とするのが好適である。
【００１５】
枠体の縦桟に幅木本体を単に回動自在として幅木本体の角度姿勢を可変とすると、幅木本体を大きく傾斜させるほど、幅木本体の下部が上昇してしまい、足場の踏板から幅木本体が上方に大きく離間してしまう虞がある。
【００１６】
これに対して、上記構成の幅木では、枠体の縦桟に幅木本体が回動自在且つスライド自在に支持されており、幅木本体を回動させて傾斜させると、これに伴って幅木本体がスライドして下降するものとなっている。よって、幅木本体を大きく傾斜させても足場の踏板から幅木本体が上方に離間し難い幅木を実現することができる。
【００１７】
なお、枠体の縦桟に対して幅木本体を回動自在且つスライド自在に支持する構造としては、種々の構造を採用することができ、例えば、縦桟に支持軸を設け、幅木本体に長孔を設け、この長孔に縦桟の支持軸を挿通させた構造や、逆に、幅木本体に支持軸を設け、縦桟に長孔を設け、この長孔に幅木本体の支持軸を挿通させた構造等を例示することができる。
【００１８】
上述した手段において、
「前記連結部材には、前記係止ピンに前記途中傾斜保持用係止部が係止された状態の傾斜角度以上に傾斜する前記幅木本体に当接して、前記枠体に対して前記幅木本体が傾斜するに従って幅木本体に対して回動する連結部材のそれ以上の回動を阻止する当接部が設けられており、
前記途中傾斜保持用係止部及び前記最大傾斜保持用係止部は、夫々前記長孔の上部に凹設されて前記係止ピンを長孔の上方に嵌入させるものである
ことを特徴とする足場用の幅木」
とするのが好適である。
【００１９】
枠体の縦桟に対して幅木本体が回動自在且つスライド自在に支持されていると、傾斜した状態の幅木本体では、スライド自在となっている範囲で、上方に持上げることが許容される。
【００２０】
そこで、上記構成の如く、係止ピンに途中傾斜保持用係止部が係止された状態である途中傾斜状態の傾斜角度（枠体の縦桟と幅木本体とでなす角度）以上に幅木本体が傾斜するとこの幅木本体に当接して、幅木本体に対して回動する連結部材のそれ以上の回動を阻止する当接部を設けると、途中傾斜状態及び最大傾斜状態の幅木本体を持上げることで連結部材を上方に移動させることができる。そして、途中傾斜保持用係止部及び最大傾斜保持用係止部の夫々が、長孔の上部に凹設されて係止ピンを長孔の上方に嵌入させるものであれば、幅木本体を持上げて連結部材を上方に移動させることで、係止ピンによる途中傾斜保持用係止部または最大傾斜保持用係止部の係止を解除することができる。
【００２１】
よって、上記構成の幅木によれば、幅木本体を持上げるといった簡便な作業で、係止ピンによる最大傾斜保持用係止部または途中傾斜保持用係止部の係止を解除することができ、幅木本体の角度姿勢を、より簡便に変更することができる。
【発明の効果】
【００２２】
上述した通り、本発明によれば、安全手摺がなくても足場の支柱に取付けることができ、しかも、幅木本体の角度姿勢を簡便に変更することができる幅木を提供することができる。
【図面の簡単な説明】
【００２３】
【図１】本発明に係る幅木の一例を示す正面図である。
【図２】図１のＡ部拡大図である。
【図３】図１のＢ−Ｂ断面図である。
【図４】図３に示した幅木本体の途中傾斜状態を示す図である。
【図５】図３に示した幅木本体の最大傾斜状態を示す図である。
【発明を実施するための形態】
【００２４】
本発明に係る足場用の幅木の実施形態としての一例を、以下、図面に従って詳細に説明する。
【００２５】
図１〜３に、本発明に係る足場用の幅木１００の一例を示す。なお、本例では、建造物の壁面に沿って延設される足場の長さ方向に所定間隔で立設されると共に足場の奥行き方向（踏板５の幅方向）に互いに並設された多数の支柱１と、足場の奥行き方向の支柱１間に横架された横架材３と、横架材３間に架渡された踏板５とを主たる構成とし、支柱１の外周に所定高さ間隔で設けられたポケット２に横架材３のクサビ４を嵌め込み、横架材３に踏板５のフック６を掛止することで、支柱１、横架材３及び踏板５を組付ける所謂「クサビ緊結式足場」において、踏板５の側縁部に沿って立設される幅木１００として本発明を適用した例を示すが、本発明の幅木は、クサビ緊結式足場に限らず、門型の建枠を用いた枠組足場等、他のタイプの足場の幅木として適用することができる。
【００２６】
幅木１００は、左右一対の縦桟１１ａ、１１ｂ及び該縦桟１１ａ、１１ｂ間に横設された横桟１２ａ，１２ｂを有する枠体１０と、この枠体１０の縦桟１１ａ，１１ｂ間に配設され、縦桟１１ａ，１１ｂに回動自在に支持された幅木本体２０とを備えており、幅木本体２０を回動させることで、枠体１０に対する幅木本体２０の角度姿勢が可変となるように構成されている。
【００２７】
なお、本例では、枠体１０を構成する横桟１２ａ，１２ｂとして、枠体１０の上部に配設された横桟１２ａ及び下部に配設された横桟１２ｂの上下一対の横桟枠１２ａ，１２ｂを採用しているが、上部または下部の一方の横桟１２ａ，１２ｂを省略してもよい。
【００２８】
枠体１０の左右の縦桟１１ａ，１１ｂには、足場の支柱１に固定される固定具１５が設けられており、足場の支柱１に直接、幅木１００を取付けることができるようにしてある。具体的に、固定具１５は、クサビ状に形成されており、支柱１のポケット２に嵌め込むことで支柱１に固定される。ここで、固定具１５の具体的な構造を適宜設定することで、枠組足場等の他のタイプの足場に取付け可能な幅木を実現することができる。
【００２９】
幅木本体２０は、その上部が枠体１０の縦桟１１ａ，１１ｂに回動自在に支持されているばかりでなく、スライド自在にも支持されている。具体的に、幅木本体２０の側面には長孔２１が設けられており、この長孔２１に、縦桟１１ａ，１１ｂに突設された支持軸１３が回動自在及び長孔２１の長手方向にスライド自在に挿通されている。よって、幅木本体２０を枠体１０に対して回動させて傾斜させると、大きく傾斜させるほど、枠体１０に対して幅木本体２０が下降する（図４及び図５参照）。これにより、枠体１０に対して幅木本体２０を大きく傾斜させることで幅木本体２０の下端が踏板５から上方に大きく離間してしまうといった不具合が生じることを防止することができる。
【００３０】
また、幅木本体２０は、その下部が連結部材３０を介して枠体１０の縦桟１１ａ，１１ｂに連結されている。具体的に、連結部材３０の一端側が連結ピン４０を介して幅木本体２０の下部に回動自在に連結されており、連結部材３０の他端側は、枠体１０の縦桟１１ａ，１１ｂに設けられた係止ピン１４を介して縦桟１１ａ，１１ｂにスライド自在に連結されている。より具体的に、連結部材３０には長孔３３が設けられており、この長孔３３に縦桟１１ａ，１１ｂの係止ピン１４が長孔３３の長手方向にスライド自在に挿通されている。
【００３１】
なお、幅木本体２０は、枠状のフレームに面材を張設してなるものであり、本例では、面材としてエキスパンドメタルを採用しているが、これに限らず、木製の板材や樹脂製の板材等を面材として採用することができる。
【００３２】
ところで、幅木本体２０には、裏面側（足場の外側に向かう側）の下部に直立保持用係止部２２が凹設されている。この直立保持用係止部２２に縦桟１１ａ，１１ｂの係止ピン１４を係止させることで、図３に示すように、枠体１０に対して幅木本体３０が直立した状態で保持される。特に、本例では、直立保持用係止部２２が上方に屈曲する形状となっており、直立保持用係止部２２の上部に係止ピン１４を位置させることで、幅木本体２０を大きく上方に移動させない限り、係止ピン１４による直立保持用係止部２２の係止が解除されず、直立状態の幅木本体２０を安定して保持させることができる。
【００３３】
また、連結部材３０の長孔３３には、一方の端末部分（図３において上側の端末部分）に最大傾斜保持用係止部３３ａが設けられており、両端末の途中の部位に途中傾斜保持用係止部３３ｂが設けられている。
【００３４】
図４に示すように、幅木本体２０を最大に傾斜させる途中の段階にて、縦桟１１ａ，１１ｂの係止ピン１４に途中傾斜保持用係止部３３ｂを係止させると共に、踏板５に幅木本体２０の下端を載せることで、この途中の傾斜角度の姿勢で幅木本体２０を保持させることができる。そして、図５に示すように、幅木本体２０を最大に傾斜させた状態にて、縦桟１１ａ，１１ｂの係止ピン１４に最大傾斜保持用係止部３３ａを係止させることで、この最大の傾斜角度の姿勢で幅木本体２０を保持させることができる。
【００３５】
なお、本例では、最大傾斜保持用係止部３３ａ及び途中傾斜保持用係止部３３ｂの夫々が、図４及び図５に示すように、幅木本体２０が傾斜した状態において連結部材３０の長孔３３の上方に凹設された形態となっており、連結部材３０を上方に大きく移動させない限り、係止ピン１４による最大傾斜保持用係止部３３ａや途中傾斜保持用係止部３３ｂの係止が解除されず、傾斜状態の幅木本体２０を安定して保持させることができる。
【００３６】
連結部材３０は、長孔３３が設けられた平板状の本体プレート３１の一側（足場の外側に向かう側）に折曲げ形成された突片３２を備えている、この突片３２は、図４に示すように、係止ピン１４に途中傾斜保持用係止部３３ｂが係止された状態である途中傾斜状態の傾斜角度（枠体１０の縦桟１１ａ，１１ｂと幅木本体２０とでなす角度）以上に幅木本体２０を傾斜させると幅木本体２０に当接する当接部を構成するものであり、この突片３２により構成された当接部の機能を以下に説明する。
【００３７】
図４及び図５に示すように、傾斜した状態の幅木本体２０は、その上部が枠体１０の縦桟１１ａ，１１ｂにスライド自在に支持されているため、スライド可能な範囲内で持上げて上方に移動させることができる。
【００３８】
一方、幅木本体２０が少なくとも図４に示す途中傾斜状態から図５に示す最大傾斜状態までの間においては、幅木本体２０に連結部材３０の突片３２が当接して、より具体的には、幅木本体２０の下部に突片３２の幅木本体２０側の端部が当接して、幅木本体２０に対する連結部材３０のそれ以上の回動が阻止される。
【００３９】
よって、連結部３０の突片３２が幅木本体２０に当接した状態で幅木本体２０を持上げれば、幅木本体２０に対して連結部材３０が回動しないことから、幅木本体２０と共に連結部材３０が上方に持上げられる。そして、連結部材３０の長孔３３に設けられた最大傾斜保持用係止部３３ａ及び途中傾斜保持用係止部３３ｂの夫々が、長孔３３の上部に凹設されており、係止ピン１４を長孔３３の上方にて嵌入するものであることから、連結部材３０が上方に持ち上がられると、最大傾斜保持用係止部３３ａまたは途中傾斜保持用係止部３３ｂに嵌入された係止ピン１４が長孔３３内へと外れて、係止ピン１４による係止が解除される。
【００４０】
従って、図４に示すような途中傾斜状態の幅木本体２０や図５に示すような最大傾斜状態の幅木本体２０の傾斜角度を変更したり直立状態に戻したい場合には、幅木本体２０を持上げて係止ピン１４による係止を解除して、幅木本体２０を直立方向や最大傾斜方向に回動させればよく、幅木本体２０の傾斜角度の変更を簡便な作業によって行うことができる。
【符号の説明】
【００４１】
１  支柱
２  ポケット
３  横架材
４  クサビ
５  踏板
６  フック
１０  枠体
１１ａ  縦桟
１１ｂ  縦桟
１２ａ  横桟
１２ｂ  横桟
１３  支持軸
１４  係止ピン
１５  固定具
２０  幅木本体
２１  長孔
２２  直立保持用係止部
３０  連結部材
３１  本体プレート
３２  突片（当接部）
３３  長孔
３３ａ  最大傾斜保持用係止部
３３ｂ  途中傾斜保持用係止部
４０  連結ピン
【先行技術文献】
【特許文献】
【００４２】
【特許文献１】特開２００９−２７５３４８号公報
【図１】
2012092528.tif 000003
【図２】
2012092528.tif 000004
【図３】
2012092528.tif 000005
【図４】
2012092528.tif 000006
【図５】
2012092528.tif 000007